【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
複数のデバイスコマンドルールを記憶するよう構成されたメモリと、
前記メモリ上に記憶されたコマンドフィルタモジュールと、
を含むユーティリティグリッドコマンドフィルタシステムであって、前記コマンドフィルタモジュールは、
個々の発信デバイスからそれぞれ受信される複数のコマンドであって、ユーティリティグリッドに電気的に結合された個々のデバイスに対してコマンドを提供するようそれぞれ構成されている、前記複数のコマンドを受信し、
前記複数のデバイスコマンドルールから少なくとも１つのデバイスコマンドルールを読み出し、
前記複数のコマンドの過去の実行に従い前記個々のデバイスの動作に対応するユーティリティグリッド過去データを読み出し、
前記少なくとも１つのデバイスコマンドルールおよび前記ユーティリティグリッド過去データに基づき、前記複数のコマンドのうちの少なくとも１つのコマンドが前記個々のデバイスによる実行に関して許可される場合を判断し、
前記少なくとも１つのコマンドが前記個々のデバイスによる実行に関して許可されると判断されると、前記個々のデバイスによって受信されるよう前記少なくとも１つのコマンドを伝送するよう、
プロセッサによって実行可能である、ユーティリティグリッドコマンドフィルタシステム。
【請求項２】
前記コマンドフィルタモジュールは、前記少なくとも１つのコマンドが前記個々のデバイスによる実行に関して許可されないと判断されると、前記個々の発信デバイスによって受信されるよう構成された拒否メッセージを生成するようさらに実行可能であり、前記拒否メッセージは、前記少なくとも１つのコマンドが前記個々のデバイスによる実行に関して許可されないことを示す、請求項１に記載のユーティリティグリッドコマンドフィルタシステム。
【請求項３】
前記コマンドフィルタモジュールは、
前記ユーティリティグリッドの現在の動作条件に対応するユーティリティグリッド接続性データを読み出し、
前記ユーティリティグリッド接続性データに基づき、前記複数のコマンドのうちの少なくとも１つのコマンドが前記デバイスによる実行に関して許可される場合を判断するよう、さらに実行可能である、請求項１に記載のユーティリティグリッドコマンドフィルタシステム。
【請求項４】
前記コマンドフィルタモジュールは、
前記ユーティリティグリッド過去データおよび前記ユーティリティグリッド接続性データに基づき、前記少なくとも１つのコマンドの許可からの、予測される少なくとも１つのユーティリティグリッド影響を判断し、
前記予測される少なくとも１つの影響に基づき、前記複数のコマンドのうちの少なくとも１つのコマンドが前記デバイスによる実行に関して許可される場合を判断するよう、さらに実行可能である、請求項３に記載のユーティリティグリッドコマンドフィルタシステム。
【請求項５】
前記少なくとも１つのデバイスコマンドルールは、最小ユーティリティグリッド障害閾値であり、前記コマンドフィルタモジュールは、前記予測される影響が前記最小ユーティリティグリッド障害閾値未満であれば、前記複数のコマンドのうちの前記少なくとも１つのコマンドが前記デバイスによる実行に関して許可される場合であると判断するよう、さらに実行可能である、請求項４に記載のユーティリティグリッドコマンドフィルタシステム。
【請求項６】
前記少なくとも１つのデバイスコマンドルールは、デバイス接続を、所定の時間内に所定のデバイス数に制限することを含む、請求項１に記載のユーティリティグリッドコマンドフィルタシステム。
【請求項７】
前記少なくとも１つのデバイスコマンドルールは、デバイスの再起動を、所定の時間内に所定の回数に制限することを含む、請求項１に記載のユーティリティグリッドコマンドフィルタシステム。
【請求項８】
電気的に結合された複数のデバイスと、
個々の発信デバイスからそれぞれ受信される複数のコマンドであって、前記電気的に結合された複数のデバイスのうちの個々のデバイスにコマンドを提供するようそれぞれ構成されている、前記複数のコマンドを受信し、
複数のデバイスコマンドルールから少なくとも１つのデバイスコマンドルールを読み出し、
前記複数のコマンドの過去の実行に従い前記個々のデバイスの動作に対応するユーティリティグリッド過去データを読み出し、
前記少なくとも１つのデバイスコマンドルールおよび前記ユーティリティグリッド過去データに基づき、前記複数のコマンドのうちの少なくとも１つのコマンドが前記個々のデバイスによる実行に関して許可される場合を判断し、
前記少なくとも１つのコマンドが前記個々のデバイスによる実行に関して許可されると判断されると、前記個々のデバイスによって受信されるよう前記少なくとも１つのコマンドを伝送するよう構成されたコマンドフィルタシステムと、
前記少なくとも１つのコマンドを、前記コマンドフィルタシステムから前記個々のデバイスへ中継するよう構成された通信ネットワークと、
を含むユーティリティグリッド。
【請求項９】
前記ユーティリティグリッドは、
前記コマンドフィルタシステムを実行するよう構成されたイベントバス
をさらに含み、
前記電気的に結合された複数のデバイスは、前記ユーティリティグリッド内で第１の所定の機能を有する第１のデバイスと、前記ユーティリティグリッド内で第２の所定の機能を有する第２のデバイスとを含み、前記第２の所定の機能は、前記第１の所定の機能と異なり、
前記少なくとも１つのコマンドは、第１のコマンドおよび第２のコマンドを含み、前記第１のコマンドは、前記第１のデバイスに対応し、前記第２のコマンドは、前記第２のデバイスに対応し、
前記通信ネットワークは、第１の通信サブネットワークおよび第２の通信サブネットワークを含み、
前記コマンドフィルタシステムは、
前記少なくとも１つのデバイスコマンドルールに基づき、前記第１のコマンドが前記第１のデバイスによる実行に関して許可される場合を判断し、
前記少なくとも１つのデバイスコマンドルールに基づき、前記第２のコマンドが前記個々のデバイスによる実行に関して許可される場合を判断するよう構成されており、
前記第１の通信サブネットワークは、前記第１のコマンドが実行に関して許可されると、前記第１のデバイスコマンドを前記第１のデバイスへ中継するよう構成されており、
前記第２の通信サブネットワークは、前記第２のコマンドが実行に関して許可されると、前記第２のコマンドを前記第２のデバイスへ中継するよう構成されている、
請求項８に記載のユーティリティグリッド。
【請求項１０】
前記電気的に結合された複数のデバイスは、前記ユーティリティグリッド内で第１の所定の機能を有する第１のデバイスと、前記ユーティリティグリッド内で第２の所定の機能を有する第２のデバイスとを含み、前記第２の所定の機能は、前記第１の所定の機能と異なり、
前記少なくとも１つのコマンドは、第１のコマンドおよび第２のコマンドを含み、前記第１のコマンドは、前記第１のデバイスに対応し、前記第２のコマンドは、前記第２のデバイスに対応し、
前記コマンドフィルタシステムは、
前記少なくとも１つのデバイスコマンドルールに基づき、前記第１のコマンドが前記第１のデバイスによる実行に関して許可される場合を判断し、
前記少なくとも１つのデバイスコマンドルールに基づき、前記第２のコマンドが前記個々のデバイスによる実行に関して許可される場合を判断するよう構成されており、
前記通信ネットワークは、通信ネットワークバスを含み、前記コマンドフィルタシステムは、前記通信ネットワークバス上で実行されるよう構成されており、
前記通信ネットワークバスは、前記第１のコマンドが実行に関して許可されると、前記第１のデバイスコマンドを前記第１のデバイスへ中継するよう構成されており、
前記通信ネットワークバスは、前記第２のコマンドが実行に関して許可されると、前記第２のコマンドを前記第２のデバイスへ中継するよう構成されている、
請求項８に記載のユーティリティグリッド。
【請求項１１】
前記ユーティリティグリッドは、
前記コマンドフィルタシステムを実行するよう構成されたイベントバス
をさらに含み、
前記電気的に結合された複数のデバイスは、前記ユーティリティグリッド内で第１の所定の機能を有する第１のデバイスと、前記ユーティリティグリッド内で第２の所定の機能を有する第２のデバイスとを含み、前記第２の所定の機能は、前記第１の所定の機能と異なり、
前記少なくとも１つのコマンドは、第１のコマンドおよび第２のコマンドを含み、前記第１のコマンドは、前記第１のデバイスに対応し、前記第２のコマンドは、前記第２のデバイスに対応し、
前記コマンドフィルタシステムは、
前記少なくとも１つのデバイスコマンドルールに基づき、前記第１のコマンドが前記第１のデバイスによる実行に関して許可される場合を判断し、
前記少なくとも１つのデバイスコマンドルールに基づき、前記第２のコマンドが前記個々のデバイスによる実行に関して許可される場合を判断するよう構成されており、
前記通信ネットワークは、
前記第１のコマンドが実行に関して許可されると、前記イベントバスから、前記第１のデバイスへの前記第１のデバイスコマンドを受信し、
前記第２のコマンドが実行に関して許可されると、前記イベントバスから、前記第２のデバイスへの前記第２のコマンドを受信し、
前記受信された第１のコマンドを前記第１のデバイスへ、前記受信された第２のコマンドを前記第２のデバイスへ中継するよう構成された通信バスを含む、
請求項８に記載のユーティリティグリッド。
【請求項１２】
前記ユーティリティグリッドは、
第１のイベントバスおよび第２のイベントバス
をさらに含み、
前記コマンドフィルタシステムは、第１のコマンドフィルタシステムおよび第２のコマンドフィルタシステムを含み、前記第１のコマンドフィルタシステムは、前記第１のイベントバス上で実行されるよう構成されており、前記第２のコマンドフィルタシステムは、前記第２のイベントバス上で実行されるよう構成されており、
前記電気的に結合された複数のデバイスは、前記ユーティリティグリッド内で第１の所定の機能を有する第１のデバイスと、前記ユーティリティグリッド内で第２の所定の機能を有する第２のデバイスとを含み、前記第２の所定の機能は、前記第１の所定の機能と異なり、
前記少なくとも１つのコマンドは、第１のコマンドおよび第２のコマンドを含み、前記第１のコマンドは、前記第１のデバイスに対応し、前記第２のコマンドは、前記第２のデバイスに対応し、
前記第１のコマンドフィルタシステムは、前記少なくとも１つのデバイスコマンドルールに基づき、前記第１のコマンドが前記第１のデバイスによる実行に関して許可される場合を判断するよう構成されており、
前記第２のコマンドフィルタシステムは、前記少なくとも１つのデバイスコマンドルールに基づき、前記第２のコマンドが前記個々のデバイスによる実行に関して許可される場合を判断するよう構成されており、
前記通信ネットワークは、第１の通信サブネットワークおよび第２の通信サブネットワークを含み、前記第１の通信サブネットワークは、
前記第１のコマンドが実行に関して許可されると、前記第１のデバイスコマンドを、前記第１のコマンドフィルタシステムから受信し、
前記受信された第１のデバイスコマンドを、前記第１のデバイスへ中継するよう構成されており、
前記第２の通信サブネットワークは、
前記第２のコマンドが実行に関して許可されると、前記第２のデバイスコマンドを、前記第２のコマンドフィルタシステムから受信し、
前記受信された第２のデバイスコマンドを、前記第２のデバイスへ中継するよう構成されている、請求項８に記載のユーティリティグリッド。
【請求項１３】
プロセッサにより実行可能な複数の命令を含むコンピュータ可読媒体であって、
ユーティリティグリッドに相互接続された複数のデバイスのうちの個々のデバイスによって実行されるようそれぞれ構成されている複数のデバイスコマンドを受信する命令と、
一連のコマンドルールを読み出す命令と、
前記複数のコマンドの過去の実行に従い個々のデバイスの動作に対応するユーティリティグリッド過去データを読み出す命令と、
前記複数のデバイスコマンドが前記個々のデバイスによる実行に関して許可される場合を判断するために、前記一連のコマンドルールおよび前記ユーティリティグリッド過去データを前記複数のデバイスコマンドに適用する命令と、
前記複数のデバイスコマンドが前記一連のコマンドルールに適合すれば、前記個々のデバイスにより実行されるよう前記複数のデバイスコマンドそれぞれを伝送する命令と、
前記複数のデバイスコマンドが前記一連のコマンドルールのうちの少なくとも１つのコマンドルールに適合しなければ、前記複数のデバイスコマンドそれぞれが前記個々のデバイスにより実行されるのを防ぐ命令と、
を含むコンピュータ可読媒体。
【請求項１４】
前記複数のデバイスコマンドの第１の部分を、前記個々のデバイスにより実行されるよう伝送する命令であって、前記複数のデバイスコマンドの前記部分は、前記一連のコマンドルールに適合する、前記命令と、
前記個々のデバイスによる実行に関して前記複数のデバイスコマンドの第２の部分を防ぐ命令であって、前記複数のデバイスコマンドの前記第２の部分は、前記一連のコマンドルールに適合しない、前記命令と、
をさらに含む、請求項１３に記載のコンピュータ可読媒体。
【請求項１５】
前記複数のデバイスコマンドの第１の部分が、所定のコマンド数閾値未満であれば、前記個々のデバイスにより実行されるよう前記複数のデバイスコマンドの前記第１の部分を伝送する命令
をさらに含む、請求項１３に記載のコンピュータ可読媒体。
【請求項１６】
前記複数のコマンドの許可による前記ユーティリティグリッドに対する影響を予測する命令と、
前記予測された影響に基づき、前記複数のデバイスコマンドそれぞれを前記個々のデバイスにより実行されるよう伝送する命令と、
をさらに含む、請求項１３に記載のコンピュータ可読媒体。
【請求項１７】
手動入力されるコマンドを受領するよう構成された１つ以上のグラフィカルユーザインターフェースから、前記複数のデバイスコマンドを受信する命令をさらに含む、請求項１３に記載のコンピュータ可読媒体。
【請求項１８】
複数のデバイスコマンドを受信する前記命令は、前記複数のデバイスコマンドを受信する命令を含み、前記複数のデバイスコマンドのうちの少なくとも１つは、スマート計器、需要家構内デバイス、スイッチングデバイスまたは補償器デバイスにより実行されるよう構成されている、請求項１３に記載のコンピュータ可読媒体。